(57)【要約】  【課題】  ヌメリ除去作用および／または殺菌作用を有する水溶性の薬剤、あるいは、生ゴミや下水からの異臭を消す消臭作用を有する水溶性の薬剤の溶解を安定させるリング状のヌメリ除去部材を用いたゴミかくし用の蓋を提供すること。  【解決手段】  流しの排水口３の上部に設けられ、排水用開口２を有するゴミかくし用の蓋１において、ヌメリ除去作用および／または殺菌作用を有する水溶性の薬剤７、あるいは、生ゴミや下水からの異臭を消す消臭作用を有する水溶性の薬剤を収容する複数の収容部８が設けられたリング体５と、このリング体５が保持される蓋本体６とを備え、更に、前記収容部８は、当該収容部８内に排水が流入したり、当該収容部８内から溶解液が流出する複数の孔２７，３６を有し、これら孔２７，３６のうち、一部３６を他のもの２７より低い位置に形成してあり、前記収容部８に溜まった排水によって予め薬剤７の一部を溶解させるよう構成されている。  【選択図】  図２
2005213823.tif 000002
【特許請求の範囲】
【請求項１】
流しの排水口の上部に設けられ、排水用開口を有するゴミかくし用の蓋において、ヌメリ除去作用および／または殺菌作用を有する水溶性の薬剤、あるいは、生ゴミや下水からの異臭を消す消臭作用を有する水溶性の薬剤を収容する複数の収容部が設けられたリング体と、このリング体が保持される蓋本体とを備え、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されていることを特徴とする蓋。
【請求項２】
前記蓋本体は、平面視円形に形成されており、流しの排水口の上部に設置されているゴミ受けカゴの上方開口を覆うように取り付けられるとともに、平坦な環状の上面部、この上面部の外周側から垂下した垂下面部、前記上面部の内周側から内側に傾斜した傾斜面部およびこの傾斜面部の内周縁によって形成される前記排水用開口を有する環状板体と、前記内周縁の複数領域から上方へ、かつ、前記上面部と略面一な高さになるまで連設される複数の立上り面部を介して前記排水用開口の直上に排水空間を形成するよう、前記上面部と略面一な状態で位置する平板状の把手とを備える一方、前記リング体は、環状板体の前記垂下面部の内周面に弾性的に当接し、それによって前記上面部から前記傾斜面部に至る環状領域の直下に前記収容部を位置させながら前記リング体を前記蓋本体に保持しうる複数の突出片を円周方向に適宜間隔をおいて外周面に有し、更に、前記上面部は前記複数の孔に排水を導入させるための排水導入孔を有する請求項１に記載の蓋。
【請求項３】
前記蓋本体は、平面視円形に形成されており、流しの排水口の上部に設置されるゴミ受けカゴの上方開口を覆うように取り付けられるとともに、上縁および下縁によって形成される排水用開口を中央に有し、また、平坦な環状の上面部分、この上面部分の外周側から垂下した垂下面部分、前記上面部分の半周部分における内周側から内側に傾斜して前記下縁に至る傾斜面部分および前記上面部分の残りの半周部分における外周側から内側にほぼ平坦に連設されて前記上縁に至る平坦面部分で構成されており、また、前記上縁の中央は水平方向に長いフラットな形状をなし、両端に行くにつれて下降するよう形成される一方、前記下縁は、中央に行くにつれ下向きに湾曲した形状をなすよう形成され、また、前記リング体は、蓋本体の前記垂下面部分の内周面に弾性的に当接し、それによって前記上面部分から前記傾斜面部分および平坦面部分に至る環状領域の直下に前記収容部を位置させながら前記リング体を前記蓋本体に保持しうる複数の突出片を円周方向に適宜間隔をおいて外周面に有し、更に、前記上面部は前記複数の孔に排水を導入させるための排水導入孔を有する請求項１に記載の蓋。
【請求項４】
流しの排水口の上部に設置されているゴミ受けカゴを覆うように流しの排水口の上部に設けられ、排水用開口を有するゴミかくし用の蓋において、ヌメリ除去作用および／または殺菌作用を有するガスを発生させる薬剤、あるいは、生ゴミや下水からの異臭を消す消臭作用を有するガスを発生させる薬剤を収容する複数の収容部が設けられたリング体と、このリング体の下方にゴミ受けカゴが位置するよう前記リング体が保持される蓋本体とを備え、更に、前記収容部は、当該収容部は前記薬剤から発生したガスが流出するガス流出口を有することを特徴とする蓋。
【発明の詳細な説明】
【技術分野】
【０００１】
この発明は、流しの排水口の上部に設けられる蓋に関するものである。
【背景技術】
【０００２】
本出願人は、流しの排水口の上部に設けられ、排水用開口を有するゴミかくし用の蓋として、下記特許文献１に示すように、薬剤を裏側に設けたものを提案している。この蓋は、排水用開口を有する環状板体と、排水用開口直上に位置する把手と、この把手の下面側に装着される薬剤収納用容器体と、環状板体と把手を連結する複数の湾曲した板状の立上り面部とを備えており、流しの排水は、把手に設けた流入孔から容器体内を経て容器体底部に設けた流出孔から排水されるときに薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
また、本出願人は、特定の形状をした排水用開口を持つゴミかくし用の蓋として、蓋に設けた排水用開口の下縁に湾曲部材を着脱自在に取り付け、この湾曲部材に薬剤を収容する複数の収容部を設けたものを提案している（特願２００３−２７７０９４号、ただし、いわゆる公知公用ではない。）。前記排水用開口は下縁および上縁によって形成されており、前記下縁は、中央に行くにつれ下向きに湾曲した形状をなし、また、前記上縁の中央は水平方向に長いフラットな形状をなし、両端に行くにつれて下降している。そして、流しの排水は各収容部に流入するとともに、各収容部内で薬剤が溶解し、排水と共に溶解した薬剤が各収容部から流出してゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
【特許文献１】特開２００３−２７８２０９号公報
【発明の開示】
【発明が解決しようとする課題】
【０００３】
このように、ヌメリ除去作用および／または殺菌作用を有する薬剤、あるいは、生ゴミや下水からの異臭を消す消臭作用を有する薬剤を、ゴミかくし用の蓋の排水用開口に設けたり、前記蓋の把手の下面側に設けているが、薬剤の溶解が必ずしも安定しなかった。
【０００４】
この発明は、上述の事柄に留意してなされたもので、その目的は、ヌメリ除去作用および／または殺菌作用を有する水溶性の薬剤、あるいは、生ゴミや下水からの異臭を消す消臭作用を有する水溶性の薬剤の溶解を安定させるリング状のヌメリ除去部材を用いたゴミかくし用の蓋を提供することである。更に別の目的は、ヌメリ除去作用および／または殺菌作用を有するガスを発生させる薬剤、あるいは、生ゴミや下水からの異臭を消す消臭作用を有するガスを発生させる薬剤を収容するリング状のヌメリ除去部材を用いたゴミかくし用の蓋を提供することである。
【課題を解決するための手段】
【０００５】
上記目的を達成するために、請求項１に記載された発明の蓋は、流しの排水口の上部に設けられ、排水用開口を有するゴミかくし用の蓋において、ヌメリ除去作用および／または殺菌作用を有する水溶性の薬剤、あるいは、生ゴミや下水からの異臭を消す消臭作用を有する水溶性の薬剤を収容する複数の収容部が設けられたリング体と、このリング体が保持される蓋本体とを備え、更に、前記収容部は、当該収容部内に排水が流入したり、当該収容部内から溶解液が流出する複数の孔を有し、これら孔のうち、一部を他のものより低い位置に形成してあり、前記収容部に溜まった排水によって予め薬剤の一部を溶解させるよう構成されている。
また、請求項４に記載された発明は、流しの排水口の上部に設置されているゴミ受けカゴを覆うように流しの排水口の上部に設けられ、排水用開口を有するゴミかくし用の蓋において、ヌメリ除去作用および／または殺菌作用を有するガスを発生させる薬剤、あるいは、生ゴミや下水からの異臭を消す消臭作用を有するガスを発生させる薬剤を収容する複数の収容部が設けられたリング体と、このリング体の下方にゴミ受けカゴが位置するよう前記リング体が保持される蓋本体とを備え、更に、前記収容部は、当該収容部は前記薬剤から発生したガスが流出するガス流出口を有することを特徴とする蓋を提供する。
【発明の効果】
【０００６】
請求項１に記載された発明では、ヌメリ除去作用および／または殺菌作用を有する水溶性の薬剤、あるいは、生ゴミや下水からの異臭を消す消臭作用を有する水溶性の薬剤を収容する複数の収容部が設けられたリング体と、このリング体が保持される蓋本体とを備えているので、蓋本体をリング体を保持した状態で、流しの排水口の上部に設置されるゴミ受けカゴを覆うように流しの排水口の上部に取り付けることができる。そのため、流しの排水は、前記収容部内では前記薬剤が溶解し、排水と共に溶解した薬剤がゴミ受けカゴを通ることから、ゴミ受けカゴに付着しているヌメリを除去したり、ゴミ受けカゴの殺菌を行ったり、ゴミ受けカゴに付着している生ゴミ、あるいは、下水からの異臭を消すことができる。
また、請求項１に記載された発明では、前記収容部は、当該収容部内に排水が流入したり、当該収容部内から溶解液が流出する複数の孔を有し、これら孔のうち、一部を他のものより低い位置に形成しているので、前記収容部に流入し溜まった排水によって予め水溶性の薬剤の一部を溶解させることができる。すなわち、一旦排水が無くなった状態では、つまり、前記収容部内に排水が流入しなくなった状態では、先に前記収容部内に流入し溜まった排水によって前記薬剤の一部は溶解しており、しかも、前記収容部内に排水が溜まっているので、溶解液は飽和液になり易くなり、薬剤の溶解が安定する。
更に、請求項４に記載された発明では、流しの排水口の上部に設置されているゴミ受けカゴを覆うように流しの排水口の上部に設けられ、排水用開口を有するゴミかくし用の蓋において、ヌメリ除去作用および／または殺菌作用を有するガスを発生させる薬剤、あるいは、生ゴミや下水からの異臭を消す消臭作用を有するガスを発生させる薬剤を収容する複数の収容部が設けられたリング体と、このリング体の下方にゴミ受けカゴが位置するよう前記リング体が保持される蓋本体とを備え、更に、前記収容部は、当該収容部は前記薬剤から発生したガスが流出するガス流出口を有するので、収容部の前記ガス流出口から流出したガスにより、ゴミ受けカゴに付着しているヌメリを除去したり、ゴミ受けカゴの殺菌を行ったり、ゴミ受けカゴに付着している生ゴミ、あるいは、下水からの異臭を消すことができる。
【発明を実施するための最良の形態】
【０００７】
以下、この発明の実施形態を、図を参照しながら説明する。なお、それによってこの発明は限定されるものではない。
【０００８】
図１〜図８は、この発明の第１の実施形態を示す。
図１〜図８において、１は、ゴミかくし用の蓋で、流しの排水口３の上部に設置されているゴミ受けカゴ４の上方開口４ａを覆うように流しの排水口３の上部に設けられる。蓋１は、樹脂成形された可撓性のリング体５と、このリング体５が保持される樹脂製で平面視円形の蓋本体６とを備えている。蓋本体６は平面視円形の排水用開口２を有する。また、前記リング体５には、ヌメリ除去作用および／または殺菌作用を有する水溶性の薬剤７、あるいは、生ゴミや下水からの異臭を消す消臭作用を有する水溶性の薬剤を収容する複数の収容部８が設けられている。この実施形態で用いる薬剤７は、例えば塩素系酸化剤を主成分とする複数の粒状のヌメリ除去剤である。このヌメリ除去剤７の形状は、図７に示すように直径Ｖの略円板状であったり、図８に示すように直径Ｖの円板状のものが好ましい。球形あるいは略球形のヌメリ除去剤を用いるよりも略円板状のヌメリ除去剤７の方が成形等の理由で安価である。
更に、蓋本体６は、環状板体９と、平板状かつ平面視円形の把手１０と、環状板体９と把手１０を連結する複数の湾曲した板状の立上り面部１１とを備えており、流しの排水口３の上部３ａに直接設けられる。１０ａは、把手１０の裏面（下面）である。
【０００９】
前記環状板体９は、平坦な環状の上面部１２と、この上面部１２の外周側から垂下した垂下面部１３と、前記上面部１２の内周側から内側に傾斜した傾斜面部１４とを有する。そして、傾斜面部１４の内周縁ｉによって前記排水用開口２が形成されている。排水用開口２と把手３２は同一中心軸を持ち、排水流路ｊの水はけを良好にするために、排水用開口２は平面視において把手１０よりも大きく形成されている。
【００１０】
前記複数の立上り面部１１は、傾斜面部１４の前記内周縁ｉの複数領域Ａ，Ｂから上方へ、かつ、前記上面部１２と略面一な高さになるまで連設されており、上面部１２と把手１０は同一高さに設定されている。すなわち、把手１０は、複数の立上り面部１１を介して排水用開口２の直上に排水流路の排水空間Ｓを形成するよう、上面部１２と略面一な状態で位置する。
【００１１】
次に、前記リング体５およびヌメリ除去剤７について説明する。
リング体５は、薄肉の上リング部材（上部材）１９と薄肉の下リング部材（下部材）２０を接合することにより形成されている。２１は、その接合面を示している。上リング部材１９は、所定幅の上リング部材本体１９ａと、収容部８のトレイカバー８ａとを有する。トレイカバー８ａは、後述する横断面ほぼＵ字形のトレイ８ｂを上方から覆うためのものである。トレイカバー８ａは、複数の排水用の孔３６を有する。一方、下リング部材２０は、上リング部材本体１９ａよりは短い幅を有する下リング部材本体２０ａと、環状板体９の前記垂下面部１３の環状内周面１３ａに弾性的に当接する複数の突出片２２と、トレイカバー８ａとで収容部８を形成するトレイ８ｂとを有する。前記突出片２２は、下リング部材本体２０ａの外周面から適宜長さを有して径方向外側に突出しており、下リング部材本体２０ａの円周方向で点対称の位置に適宜間隔をおいて設けられている。この突出片２２は、下リング部材本体２０ａに一体に樹脂成形された可撓性を有する薄肉状のもので、縦断面上向きＬ字型で、水平片部２２ａおよび垂直片部２２ｂより構成されている。そして、円周角で１８０°に対向配置された突出片２２，２２間の距離ｒは、垂下面部１３の内径Ｒよりも長く設定されており、蓋本体６の裏側（下方側）からリング体５をはめ込む場合は、外力により複数の突出片２２を弾性的に内側に変形させ、その後変形力を解除することで突出片２２の垂直片部２２ｂを弾性的に当接させ、これによりリング体５を蓋本体６に弾性的に嵌合保持させることができる。そして、リング体５が蓋本体６に保持されている状態では、前記上面部１２から傾斜面部１４に至る環状領域の直下に前記収容部８が位置している。
また、下リング部材本体２０ａは、他の部分よりも径方向において細い幅を持った外周部分２３を残す形で下リング部材本体２０ａを内側から切欠いた平面視矩形の切欠２４を突出片２２，２２間に有する。更に、前記外周部分２３は、上面に凹所２５を有する。この凹所２５は上リング部材本体１９ａとで、排水用の孔３６とは別の、収容部２６に形成される排水用の孔２７を構成する。すなわち、排水用の孔２７は、上リング部材１９と下リング部材２０を接合することによって、下リング部材２０の前記外周部分２３の上面に設けた凹所２５と上リング部材１９の下面との間に形成されており、また、図４、図５からも明らかなように、排水用の孔３６は、収容部８の内側面下部に設けられる。排水用の孔３６は、収容部８の外側面上部に設けられる。すなわち、収容部８は、排水用の孔３６を側面下部に有するとともに、排水用の孔２７を側面上部に有する。
また、前記各収容部８は、袋状で、一個のヌメリ除去剤７が収容可能な空間を有する大きさに形成されて突出片２２，２２間に位置している。収容部８は、当該収容部８に流入し溜まった排水によって予めヌメリ除去剤７の一部を溶解させる。
そして、トレイ８ｂは、ヌメリ除去剤７を横置きに載置するのではなく、図７、図８に示すように、周面２７を平坦な薬剤載置面Ｇに当接させる縦置き状態でヌメリ除去剤７を載置できる程度の幅Ｃを有する。しかも排水で溶けていない新しいヌメリ除去剤７を載置した状態においてヌメリ除去剤７がトレイ８ｂ内で転がったり傾いたりしないように、図７に示したヌメリ除去剤７は、ヌメリ除去剤７を平坦な載置面Ｇに安定的に載置できるよう周面３３にカット面３４を有する。更に、図７に示したヌメリ除去剤７は、カット面２８からヌメリ除去剤７の中心Ｏ’を通る垂直溝３０を一方面３５に有する。この実施形態では、低い方の排水用の孔３６と載置面Ｇ間の高さ方向における長さがヌメリ除去剤７の下からほぼ三分の一の長さに相当するよう構成されており、収容部８内に流入しヌメリ除去剤７の下からほぼ三分の一まで溜まった排水が毛細管現象で垂直溝３０を介してヌメリ除去剤７の上部まで浸透していき、垂直溝３０が無い場合に比して排水との接触面積が増加することでヌメリ除去剤７をより溶解し易くできる。そのため、濃い濃度の溶解液を常時確保できる利点を有する。
また、図８に示したヌメリ除去剤７には、ヌメリ除去剤７への排水の浸透効果を上げるために、直径Ｖのヌメリ除去剤７の周面３３に深さｄの環状深溝３７を全周にわたって設けている。この場合、図７に示したヌメリ除去剤７のようにカット面３４は設けられておらず、縦置き状態で転がったり回転しても収容部８内に流入しヌメリ除去剤７の下からほぼ三分の一まで溜まった排水が毛細管現象で環状深溝３７を介してヌメリ除去剤７の上部および内部まで浸透していく。なお、トレイカバー８ａの幅とトレイ８ｂの幅は同一である。
【００１２】
４０は、排水用の孔３６および／または排水用の孔２７に排水を導入させるための排水導入孔である。この排水導入孔４０は、蓋本体６の環状板体９の上面部１２に適宜間隔をおいて設けられている。排水導入孔４０は、排水に混じって流れてくるゴミができるだけ通過し難い大きさに形成されている。
なお、この実施形態では排水用の孔３６よりも高い位置に形成されている排水用の孔２７の直上に排水導入孔４０を位置させたものを示したが、排水用の孔３６の直上に排水導入孔４０を位置させてもよい。
【００１３】
而して、流しの排水の一部は、排水導入孔４０を通り、収容部８内に流入してヌメリ除去剤７の一部を溶解させるとともに、収容部８内から溶解液が直下のゴミ受けカゴ４に至りゴミ受けカゴ４のヌメリを除去できる。そして、一旦排水が無くなった状態では、すなわち、収容部８内に排水が流入しなくなった状態では、先に収容部８内に流入し溜まった排水によってヌメリ除去剤７の一部は溶解しており、しかも、排水用の孔３６，２７のうち、排水用の孔２７を排水用の孔３６より低い位置に形成してあるので、収容部８内に排水が溜まっており、溶解液は飽和液になり易くなる。つまり、ヌメリ除去剤７の溶解が安定する。この状態で排水があると、飽和溶解液を薄める形で、かつ、飽和溶解液に混じって溶解液が収容部８から流出する。よって、ゴミ受けカゴ４のヌメリを効果的に除去できる。
【００１４】
図９〜図１３は、この発明の第２の実施形態を示す。なお、上記第１の実施形態と同一のリング体５およびヌメリ除去剤７をこの実施形態でも用いている。また、図９〜図１３おいて、図１〜図８で用いた符号と同一のものは同一または相当物である。
【００１５】
図９〜図１３において、１’は、ゴミかくし用の蓋で、流しの排水口３の上部に設置されているゴミ受けカゴ４の上方開口４ａを覆うように流しの排水口３の上部に設けられる。蓋１’は、樹脂成形された可撓性のリング体５と、このリング体５が保持される樹脂製で平面視円形の蓋本体６’とを備えている。
蓋本体６’は、平面視円形に形成されており、流しの排水口３の上部に設置されるゴミ受けカゴ４の上方開口４ａを覆うように取り付けられるとともに、上縁４２および下縁４３によって形成される排水用開口２を平面視における中央に有し、また、平坦な環状の上面部分４４、この上面部分４４の外周側から垂下した垂下面部分４５、前記上面部分４４の半周部分における内周側から内側に傾斜して前記下縁４３に至る傾斜面部分４６および前記上面部分４４の残りの半周部分における外周側から内側にほぼ平坦に連設されて前記上縁４２に至る平坦面部分４７で構成されており、また、前記上縁４２の中央は水平方向に長いフラットな形状をなし、両端４２ａ，４２ａに行くにつれて下降するよう形成される一方、前記下縁４３は、中央に行くにつれ下向きに湾曲した形状をなすよう形成されている。そして、リング体５が蓋本体６’に保持されている状態では、前記上面部分４４から前記傾斜面部分４６および平坦面部分４７に至る環状領域の直下に前記収容部８が位置している。
【００１６】
図１４、図１５は、ヌメリ除去作用および／または殺菌作用を有するガスを発生させる薬剤、あるいは、生ゴミや下水からの異臭を消す消臭作用を有するガスを発生させる薬剤７’を用いたこの発明の第３の実施形態を示す。なお、上記第１の実施形態と同一のリング体５をこの実施形態でも用いている。また、図１４、図１５おいて、図１〜図１３で用いた符号と同一のものは同一または相当物である。
【００１７】
この実施形態では、上記第１の実施形態で用いたような水溶性の薬剤７を用いていない。この実施形態では、ガスを発生させる薬剤７’を用いている。そのため、蓋本体６は、上記第１の実施形態で用いたような排水導入孔４０は持っていない。
図１４、図１５において、収容部８には、それぞれ例えば生ゴミや下水からの異臭を消す消臭作用を有するガスを発生させる薬剤７’が収容されている。また、収容部８には、前記薬剤７’から発生したガスが流出する複数のガス流出口５０が形成されている。そして、複数のガス流出口５０のうち一部を他のものより低い位置に形成してある。
而して、リング体５に設けた突出片２２の垂直片部２２ｂを弾性的に当接させるだけでリング体５を蓋本体６に弾性的に嵌合保持させることができる。この状態で、流しの排水口３の上部に設置されているゴミ受けカゴ４を覆うように蓋本体６を流しの排水口３の上部に設けることにより、収容部８のガス流出口５０から流出したガスにてゴミ受けカゴ４に付着している生ゴミ、あるいは、下水からの異臭を消すことができる。
【００１８】
図１６、図１７は、ヌメリ除去作用および／または殺菌作用を有するガスを発生させる薬剤、あるいは、生ゴミや下水からの異臭を消す消臭作用を有するガスを発生させる薬剤７’を用いたこの発明の第４の実施形態を示す。なお、上記第２の実施形態と同一のリング体５をこの実施形態でも用いている。また、図１６、図１７おいて、図１〜図１５で用いた符号と同一のものは同一または相当物である。
【００１９】
この実施形態では、上記第２の実施形態で用いたような水溶性の薬剤７ではなく上記第３の実施形態で用いたガスを発生させる薬剤７’を用いている。そのため、蓋本体６’は、上記第２の実施形態で用いたような排水導入孔４０は持っていない。
図１６、図１７において、収容部８には、それぞれ例えば生ゴミや下水からの異臭を消す消臭作用を有するガスを発生させる薬剤７’が収容されている。また、収容部８には、前記薬剤７’から発生したガスが流出する複数のガス流出口５０が形成されている。そして、複数のガス流出口５０のうち一部を他のものより低い位置に形成してある。
而して、リング体５に設けた突出片２２の垂直片部２２ｂを弾性的に当接させるだけでリング体５を蓋本体６’に弾性的に嵌合保持させることができる。この状態で、流しの排水口３の上部に設置されているゴミ受けカゴ４を覆うように蓋本体６’を流しの排水口３の上部に設けることにより、収容部８のガス流出口５０から流出したガスにてゴミ受けカゴ４に付着している生ゴミ、あるいは、下水からの異臭を消すことができる。
【図面の簡単な説明】
【００２０】
【図１】この発明の第１の実施形態を示す斜視図である。
【図２】上記実施形態における使用状態を示す構成説明図である。
【図３】上記実施形態で用いたリング体を示す上面図である。
【図４】上記実施形態で用いたリング体を示す構成説明図である。
【図５】上記実施形態で用いたリング体および蓋本体を示す構成説明図である。
【図６】上記実施形態で用いた蓋本体を示す斜視図である。
【図７】上記実施形態で用いたヌメリ除去作用を有する水溶性の薬剤の一例を示す斜視図である。
【図８】上記実施形態で用いたヌメリ除去作用を有する水溶性の薬剤の他の例を示す斜視図である。
【図９】この発明の第２の実施形態を示す斜視図である。
【図１０】上記第２の実施形態における使用状態を示す構成説明図である。
【図１１】上記第２の実施形態で用いたリング体および蓋本体を示す構成説明図である。
【図１２】上記第２の実施形態で用いた蓋本体の半分を示す上面図である。
【図１３】上記第２の実施形態で用いた蓋本体の下面図である。
【図１４】この発明の第３の実施形態を示す斜視図である。
【図１５】上記第３の実施形態における使用状態を示す構成説明図である。
【図１６】この発明の第４の実施形態を示す斜視図である。
【図１７】上記第４の実施形態における使用状態を示す構成説明図である。
【符号の説明】
【００２１】
１          蓋
２          排水用開口
３          流しの排水口
５          リング体
６          蓋本体
７          水溶性の薬剤
８          収容部
２７，３６  複数の孔
【図１】
2005213823.tif 000003
【図２】
2005213823.tif 000004
【図３】
2005213823.tif 000005
【図４】
2005213823.tif 000006
【図５】
2005213823.tif 000007
【図６】
2005213823.tif 000008
【図７】
2005213823.tif 000009
【図８】
2005213823.tif 000010
【図９】
2005213823.tif 000011
【図１０】
2005213823.tif 000012
【図１１】
2005213823.tif 000013
【図１２】
2005213823.tif 000014
【図１３】
2005213823.tif 000015
【図１４】
2005213823.tif 000016
【図１５】
2005213823.tif 000017
【図１６】
2005213823.tif 000018
【図１７】
2005213823.tif 000019